(57)【要約】【課題】下半身の全体を露出させることができると共に必要な部分だけを限定的に開くことも可能な介助用下衣を提供する。【解決手段】ファスナー５には２つのスライダー８が頭部を付き合わせた状態で設けられているため、２つのスライダー８の間の部分は開き部１３となる。従って２つのスライダー８により開き部１３の位置及び幅を自由に変えることができる。そのため全開だけでなく必要な部分だけを限定的に開くことが可能となる。【選択図】        図５
2017075418.tif 000002
【特許請求の範囲】
【請求項１】
腰部と脚部とから成る介助用下衣であって、
各脚部の前面に裾口から腰部の上端まで至る範囲に両端まで開くタイプのファスナーを設けると共に、該ファスナーに頭部を付き合わせた状態で２つのスライダーを挿着したことを特徴とする介助用下衣。
【請求項２】
腰部上端にファスナーを跨いだ状態でファスナーの両側部分を結合自在な留め具を設けたことを特徴とする請求項１記載の介助用下衣。
【発明の詳細な説明】
【技術分野】
【０００１】
本発明は介助用下衣に関するものである。
【背景技術】
【０００２】
病人や高齢者など他人の介助が必要な方がいる。そのような方が着る服のうち特に下衣は寝たままで治療を施したり或いは下着等の交換が必要なため、前側が全て開く構造になっている。具体的には下衣の両方の脚部の前面に、腰部の上端から脚部の裾口まで連続するファスナーが形成され、そのファスナーを開くことにより、下衣全体をシート状に広げて、介助が必要な方の下半身を露出させることができる（例えば、特許文献１参照）。
【先行技術文献】
【特許文献】
【０００３】
【特許文献１】特開平１−１９２８０８号公報
【発明の概要】
【発明が解決しようとする課題】
【０００４】
しかしながら、このような関連技術にあっては、下衣の前側が全て開く構造のため、下半身の全てを露出させる場合には好適であるが、必要な部分だけを限定的に開くことはできなかった。下半身を必要以上に露出することは風邪をひくおそれもあり介助される方が羞恥を感じることにもなり好ましくない。
【０００５】
本発明はこのような関連技術に着目してなされたものであり、下半身の全体を露出させることができると共に必要な部分だけを限定的に開くことも可能な介助用下衣を提供することができる。
【課題を解決するための手段】
【０００６】
本発明にかかる第１の技術的側面によれば、腰部と脚部とから成る介助用下衣であって、各脚部の前面に裾口から腰部の上端まで至る範囲に両端まで開くタイプのファスナーを設けると共に、該ファスナーに頭部を付き合わせた状態で２つのスライダーを挿着したことを特徴とする。
【０００７】
本発明の第２の技術的側面によれば、腰部上端にファスナーを跨いだ状態でファスナーの両側部分を結合自在な留め具を設けたことを特徴とする。
【発明の効果】
【０００８】
第１の技術的側面によれば、ファスナーが両端まで開くタイプのため、ファスナーの全てを開いて下半身全体を露出させることができる。またファスナーには２つのスライダーが頭部を付き合わせた状態で設けられているため、２つのスライダーの間の部分は開き部となる。従って２つのスライダーの間隔により開き部の幅を自由に変えることができ、２つのスライダーの位置を変えることにより、開き部の位置も自由に選択することができる。そのため必要な部分だけを限定的に開くことも可能となる。
【０００９】
第２の技術的側面によれば、腰部上端にファスナーの両側部分を結合自在な留め具を設けたため、特に強い力が加わる腰部上端のファスナー部分の破損を防止することができる。
【図面の簡単な説明】
【００１０】
【図１】介助用下衣を示す全体図。
【図２】ファスナーを示す拡大図。
【図３】ファスナーの全てを開いた状態の図。
【図４】ファスナーの上部だけを開いた状態の図。
【図５】一方のファスナーの一部を限定的に開いた状態を示す図。
【図６】他方のファスナーの下側を開いた状態を示す図。
【発明を実施するための形態】
【００１１】
図１〜図６は本発明の好適な実施形態を示す図である。
【００１２】
病院や介護施設で使用される衣服の下衣１は肌触りのよい生地でできており、腰部２と両方の脚部３とから成っている。この下衣１の前面には、それぞれ脚部３の裾口４から腰部２の上端に至るまでの範囲にファスナー５が設けられている。  このファスナー５は両端まで開くタイプで、端末にはぞれぞれボックス６とピン７が設けられている。このファスナー５には２つのスライダー８がそれぞれ頭部９を突き合わせた状態で設けられており、引手を引いてスライダー８をボックス６まで移動させてピン７を抜けば、一対の務歯列が分離してファスナー５は外れる。結合するときは、スライダー８をボックス６まで移動させて、ピン７をスライダー８の頭部９側からボックス６まで差し込み、そのままスライダー８を頭部９側へ移動させることにより、務歯列が噛み合いファスナー５は接合される。
【００１３】
ファスナー５はスライダー８の頭部９側へ入り込むことにより内部で結合される。従ってスライダー８の頭部９よりも先の部分は未結合であり、２つのスライダー８の間の部分はファスナー５が開いた状態となる。
【００１４】
腰部２の上端はゴム紐が設けられており伸縮するようになっている。ファスナー５の上端は寝返り等の際に力が加わるため、ファスナー５の上端がその力で外れないようにするために、ストラップ状の留め具１０がファスナー５を跨いだ状態で設けられている。留め具１０の基端は腰部２に縫製され、先端にはボタン穴があり、反対側に設けられたボタン１１に係止できるようになっている。
【００１５】
以下使用形態を説明する。
【００１６】
ファスナー５全体を外して下半身を露出させる場合（図３参照）には、留め具１０を外し、スライダー８をそれぞれ上端及び下端まで移動させ、ピン７をボックス６及びスライダー８から抜く。そうすることによりファスナー５全体が外れた状態となり下衣１がシート状に開くため、下半身全体を露出できる。寝たままで下衣１を交換したり、あるいは露出した下半身を拭いたりする場合に便利である。
【００１７】
ファスナー５の上側だけ部分的に開いた状態（図４参照）にすることもできる。下半身に対して一時的な治療を施したりする場合に便利である。
【００１８】
病人の方の状態のよっては尿道カテーテル１２（図５参照）などのチューブを下半身に対して導入する場合がある。そのような場合は部分的に少しだけ開いた部分があれば良いので、２つのスライダー８を必要な位置まで移動させ、その間に必要な間隔の開き部１３を形成されば良い。下半身が大きく露出されることがないので、風邪をひくおそれもなく、患者が羞恥を感じることもない。
【００１９】
またこのファスナー５は必要な部分はどこでも開くことができるため、患者が脚を怪我されたような場合には、図６に示すように脚部３の下側の必要な範囲だけファスナー５を開くこともできる。
【符号の説明】
【００２０】
１  下衣
２  腰部
３  脚部
４  裾口
５  ファスナー
８  スライダー
９  頭部
１０  留め具
【図１】
2017075418.tif 000003
【図２】
2017075418.tif 000004
【図３】
2017075418.tif 000005
【図４】
2017075418.tif 000006
【図５】
2017075418.tif 000007
【図６】
2017075418.tif 000008